(57)【要約】【課題】適当なサービスＩＤに対して固有の選局スイッチを備える従来の選局装置では、選局スイッチ数を多くなる等の課題があった。地上デジタル放送の選局に適した利便性の高い選局装置を実現する【解決手段】ネットワークＩＤに関連づけられた選局用スイッチと、選局用スイッチの状態遷移に応じて状態遷移情報を記憶するとともに状態遷移信号を生成する選局情報記憶回路と、状態遷移信号に応じて選局用制御信号を生成する選局用制御信号生成回路と、選局用制御信号に応じて選局を行う選局回路を備えた構成とする。【選択図】図１
2005223677.tif 000002
【特許請求の範囲】
【請求項１】
選局操作に応じて２値以上の状態信号を生成する少なくとも１つの選局用スイッチと、前記選局用スイッチの状態信号を入力として前記選局用スイッチの状態遷移情報を記憶するとともに状態遷移信号を出力する選局情報記憶回路と、前記選局情報記憶回路の出力を入力として選局用制御信号を生成する選局用制御信号生成回路と、前記選局用制御信号生成回路の出力を入力として選局を行う選局回路を具備し、ネットワークＩＤに属するサービスＩＤを割り当てられた１つもしくは２つ以上の放送のすべてを前記ネットワークＩＤに関連づけられた前記選局用スイッチの操作で選局することを特徴とする選局装置。
【請求項２】
選局操作に応じて２値以上の状態信号を生成する少なくとも１つの選局用スイッチと、前記選局用スイッチの状態信号を入力として前記選局用スイッチの状態遷移情報を記憶するとともに状態遷移信号を出力する選局情報記憶回路と、選局操作より以前に設定される情報を入力として選局制限信号を出力する選局制限情報記憶回路と、前記選局情報記憶回路の出力と前記選局制限情報記憶回路の出力を入力として選局用制御信号を生成する選局用制御信号生成回路と、前記選局用制御信号生成回路の出力を入力として選局を行う選局回路を具備し、ネットワークＩＤに属するサービスＩＤを割り当てられた１つもしくは２つ以上の放送の少なくとも１つを前記ネットワークＩＤに関連づけられた前記選局用スイッチの操作で選局することを特徴とする選局装置。
【請求項３】
選局操作に応じて２値以上の状態信号を生成する少なくとも１つの選局用スイッチと、前記選局用スイッチの状態信号を入力としてリモートコントロール信号を発信するリモートコントロール信号発信回路と、前記リモートコントロール信号発信回路の出力を入力として前記選局用スイッチの状態信号を出力するリモートコントロール信号受信回路と、前記リモートコントロール信号受信回路の出力を入力として前記選局用スイッチの状態遷移情報を記憶するとともに状態遷移信号を出力する選局情報記憶回路と、前記選局情報記憶回路の出力を入力として選局用制御信号を生成する選局用制御信号生成回路と、前記選局用制御信号生成回路の出力を入力として選局を行う選局回路を具備し、ネットワークＩＤに属するサービスＩＤを割り当てられた１つもしくは２つ以上の放送のすべてを前記ネットワークＩＤに関連づけられた前記選局用スイッチの操作で選局することを特徴とする選局装置。
【請求項４】
選局操作に応じて２値以上の状態信号を生成する少なくとも１つの選局用スイッチと、前記選局用スイッチの状態信号を入力としてリモートコントロール信号を発信するリモートコントロール信号発信回路と、前記リモートコントロール信号発信回路の出力を入力として前記選局用スイッチの状態信号を出力するリモートコントロール信号受信回路と、前記リモートコントロール信号受信回路の出力を入力として前記選局用スイッチの状態遷移情報を記憶するとともに状態遷移信号を出力する選局情報記憶回路と、選局操作より以前に設定される情報を入力として選局制限信号を出力する選局制限情報記憶回路と、前記選局情報記憶回路の出力と前記選局制限情報記憶回路の出力を入力として選局用制御信号を生成する選局用制御信号生成回路と、前記選局用制御信号生成回路の出力を入力として選局を行う選局回路を具備し、ネットワークＩＤに属するサービスＩＤを割り当てられた１つもしくは２つ以上の放送の少なくとも１つを前記ネットワークＩＤに関連づけられた前記選局用スイッチの操作で選局することを特徴とする選局装置。
【発明の詳細な説明】
【技術分野】
【０００１】
本発明は地上デジタル放送での選局に関し、特に地上デジタル放送においてネットワークＩＤを等しくするサービスＩＤを割り当てられた放送の選局装置に関する。
【背景技術】
【０００２】
従来のテレビ放送選局装置においては、適当な放送に対して固有の選局スイッチを備える方式と、スイッチ操作によって放送を順に切り替えるチャンネルシフトスイッチを備える方式と直接チャンネルを指定するためのテンキーを備える方式が用いられている（例えば特許文献１）。これら従来方式を１つもしくは２つ以上併用することで、従来放送において利便性の高い選局を実現している。
【０００３】
来る地上デジタル放送においてはネットワークＩＤに属する１３セグメント領域のうち１２セグメント領域について放送局に運用が委ねられている。放送局が放送を行う際には、放送局の有するネットワークＩＤに属するサービスＩＤを放送ごとに割り当てる必要がある。４８０ｉフォーマットもしくは４８０Ｐフォーマット（以下ＳＤと称する）放送時にはネットワークＩＤに属する１つもしくは２つ以上のサービスＩＤを用いて１つもしくは２つ以上の放送が行なわれ、またハイビジョンフォーマット（以下ＨＤと称する）放送時にはＳＤ放送時とは必ずしも一致しない１つもしくは２つ以上のサービスＩＤを用いて１つもしくは２つ以上の放送が行なわれることとなる。地上デジタル放送においては、多チャンネル化に加えて、同一ネットワークＩＤに属する放送数が放送局側の意図により時間変化するため前記同一ネットワークＩＤに属するサービスＩＤを割り当てられた放送の有無は一意的でなく、同一ネットワークＩＤに属するサービスＩＤにおいては同一内容の放送が行われることもある。
【０００４】
図５は放送局とネットワークＩＤ、サービスＩＤの関係を示す。放送局１にはネットワークＩＤとしてＸ１が割り当てられている。放送局１が放送する番組１−１にはサービスＩＤとしてＡ１が割り当てられている。同じく放送局１が放送する番組１−２にはサービスＩＤとしてＢ１が割り当てられている。放送局２にはネットワークＩＤとしてＸ２が割り当てられている。放送局２が放送する番組２−１にはサービスＩＤとしてＡ２が割り当てられている。視聴者が番組を選局するさいには、ネットワークＩＤのみを選択するだけでは不十分であり、番組のサービスＩＤを選択する必要がある。
【特許文献１】特許第２９７２０３６号公報
【発明の開示】
【発明が解決しようとする課題】
【０００５】
このため適当なサービスＩＤに対して固有の選局スイッチを備える従来の選局装置では、選局スイッチ数を多くせざるを得ず小型軽量化が困難となることに加えて、多くの選局スイッチが存在することと適当な選局スイッチに関連づけられたサービスＩＤを割り当てられた放送の有無が一意的でないことに起因して前記適当な選局スイッチの操作の結果必ずしも放送が受信できないため選局スイッチの操作結果が直感的に理解し難く不便である。またチャンネルシフトスイッチによる従来の選局装置では、少なくとも１つのスイッチにより選局が可能であるが視聴可能なサービスＩＤ数が多いために短時間で選局することが困難であり不便である。またテンキーにて直接サービスＩＤを入力する従来の選局装置では、放送されているサービスＩＤを暗唱もしくは調査する手段を有する必要があるためにやはり不便である。
【０００６】
本発明はかかる点に鑑み、地上デジタル放送の選局に適した利便性の高い選局装置を提供することを目的とする。
【課題を解決するための手段】
【０００７】
ネットワークＩＤに関連づけられた選局用スイッチと、選局用スイッチの状態遷移に応じて状態遷移情報を記憶するとともに状態遷移信号を生成する選局情報記憶回路と、状態遷移信号に応じて選局用制御信号を生成する選局用制御信号生成回路と、選局用制御信号に応じて選局を行う選局回路を備えた構成としている。
【０００８】
本発明は前記した構成により、ネットワークＩＤに関連づけられた選局用スイッチの操作によってネットワークＩＤに属するサービスＩＤを割り当てられた放送を選局する。
【発明の効果】
【０００９】
本発明によれば、ネットワークＩＤに関連づけられた選局スイッチを備えることで、前記ネットワークＩＤに属するサービスＩＤに応じた選局スイッチを備えることなく前記サービスＩＤを割り当てられた放送を選局することが可能であるため、選局機器の小型軽量化が容易であり、加えて視聴者が前記ネットワークＩＤに属する任意のサービスＩＤを割り当てられた放送の有無を意識することなく前記サービスＩＤを割り当てられた放送を直感的に選局できることから、地上デジタル放送の選局に適した利便性の高い選局装置を実現することができ、その実用的効果は大きい。
【発明を実施するための最良の形態】
【００１０】
（実施の形態１）
図１は本発明の一実施例における地上デジタル放送対応選局装置のブロック図を示す。図１において、１０１は選局操作に応じて２値以上の状態信号を生成する選局用スイッチであり、１０２は前記選局用スイッチの状態信号を入力として前記選局用スイッチの状態遷移情報を記憶するとともに状態遷移信号を出力する選局情報記憶回路であり、１０３は前記選局情報記憶回路の出力を入力として選局用制御信号を生成する選局用制御信号生成回路であり、１０４は前記選局用制御信号生成回路の出力を入力として選局を行う選局回路である。
【００１１】
以上のように構成された地上デジタル放送対応選局装置について以下その動作説明を行う。まず、ネットワークＩＤに関連づけられた図１における選局用スイッチ１０１において視聴者の選局操作に応じた２値以上の状態信号を生成する。前記選局用スイッチ１０１において生成された前記状態信号は図１における選局情報記憶回路１０２へ入力されて、前記状態信号に応じた状態遷移信号を生成して出力する。出力された前記状態遷移信号は図１における選局用制御信号生成回路１０３へ入力されて、前記状態遷移信号に応じた選局用制御信号を生成して出力する。出力された前記選局用制御信号は図１における選局回路１０４へ入力されて前記選局用制御信号に応じて前記ネットワークＩＤに属するサービスＩＤを割り当てられた放送の選局を行う。
【００１２】
図６に２つの選局スイッチを有する選局スイッチ群６０１を示す。図６における選局スイッチＡ７０２は図５における放送局１のネットワークＩＤであるＸ１に関連づけられており、図６における選局スイッチＢ７０３は図５における放送局２のネットワークＩＤであるＸ２に関連づけられている。図６における選局スイッチ群において、選局操作として選局スイッチＢが押された後に選局スイッチＡがおされると、ネットワークＩＤＸ１に属するサービスＩＤの中で放送局が優先度を高く指定するサービスＩＤであるＡ１が選択される。続いて図６における選局スイッチ群において、選局操作として選局スイッチＡがおされると、ネットワークＩＤＸ１に属するサービスＩＤの中で先に選択されているサービスＩＤＡ１と異なるサービスＩＤであるＢ１が選択される。またさらに続けて図６における選局スイッチ群において、選局操作として選局スイッチＡがおされると、ネットワークＩＤＸ１に属するサービスＩＤの中で先に選択されているサービスＩＤＢ１と異なるサービスＩＤであるＡ１が選択される。
【００１３】
以上のように本実施の形態１によれば、前記ネットワークＩＤに関連づけられた前記選局用スイッチ１０１の操作によって前記ネットワークＩＤに属するサービスＩＤを割り当てられた１つもしくは２つ以上の放送のすべてを選局することが可能となる。
【００１４】
（実施の形態２）
図２は本発明の一実施例における地上デジタル放送対応選局装置のブロック図を示す。図２において、２０１は選局操作に応じて２値以上の状態信号を生成する選局用スイッチであり、２０２は前記選局用スイッチの状態信号を入力として前記選局用スイッチの状態遷移情報を記憶するとともに状態遷移信号を出力する選局情報記憶回路であり、２０５は選局操作より以前に設定される情報を記憶する選局制限情報記憶回路であり、２０３は前記選局情報記憶回路の出力と前記選局制限情報記憶回路の出力を入力として選局用制御信号を生成する選局用制御信号生成回路であり、２０４は前記選局用制御信号生成回路の出力を入力として選局を行う選局回路である。
【００１５】
以上のように構成された地上デジタル放送対応選局装置について以下その動作説明を行う。まず、ネットワークＩＤに関連づけられた図２における選局用スイッチ２０１において視聴者の選局操作に応じた２値以上の状態信号を生成する。前記選局用スイッチ２０１において生成された状態信号は図２における選局情報記憶回路２０２へ入力されて、前記状態信号に応じた状態遷移信号を生成して出力する。また、前記選局操作より以前に設定される前記ネットワークＩＤに属するサービスＩＤのうち選局可能とする情報もしくは選局不可能とする情報が前記選局制限情報記憶回路２０５へ入力されて選局制限信号を生成する。前記選局情報記憶回路２０２より出力された前記状態遷移信号と前記選局制限情報記憶回路２０５より出力された前記選局制限信号は図２における選局用制御信号生成回路２０３へ入力されて、前記状態遷移信号と前記選局制限信号に応じた選局用制御信号を生成して出力する。出力された前記選局用制御信号は図２における選局回路２０４へ入力されて前記選局用制御信号に応じて前記ネットワークＩＤに属するサービスＩＤを割り当てられた放送の選局を行う。
【００１６】
以上のように本実施の形態２によれば、ネットワークＩＤに関連づけられた前記選局用スイッチ２０１の操作と前記選局操作より以前に設定される前記選局可能とする情報もしくは選局不可能とする情報によって前記ネットワークＩＤに属するサービスＩＤを割り当てられた１つもしくは２つ以上の放送の少なくとも１つを選局することが可能となる。
【００１７】
（実施の形態３）
図３は本発明の一実施例における地上デジタル放送対応選局装置のブロック図を示す。図３において、３０１は選局操作に応じて２値以上の状態信号を生成する選局用スイッチであり、３０６は前記選局用スイッチの状態信号を入力としてリモートコントロール信号を発信するリモートコントロール信号発信回路であり、３０７は前記リモートコントロール信号を受信して前記選局用スイッチの状態信号を出力するリモートコントロール信号受信回路であり、３０２は前記リモートコントロール信号受信回路から出力される状態信号を入力として前記選局用スイッチの状態遷移情報を記憶するとともに状態遷移信号を出力する選局情報記憶回路であり、３０３は前記選局情報記憶回路の出力を入力として選局用制御信号を生成する選局用制御信号生成回路であり、３０４は前記選局用制御信号生成回路の出力を入力として選局を行う選局回路である。
【００１８】
以上のように構成された地上デジタル放送対応選局装置について以下その動作説明を行う。まず、ネットワークＩＤに関連づけられた図３における選局用スイッチ３０１において視聴者の選局操作に応じた２値以上の状態信号を生成する。前記選局用スイッチ３０１において生成された前記状態信号は図３におけるリモートコントロール信号発信回路３０６へ入力されて、前記状態信号に応じたリモートコントロール信号を発信する。前記リモートコントロール信号発信回路３０６において発信された前記リモートコントロール信号は図３におけるリモートコントロール信号受信回路３０７へ入力されて、前記選局用スイッチ３０１の状態信号が出力される。前記リモートコントロール信号受信回路３０７において生成された前記状態信号は図３における選局情報記憶回路３０２へ入力されて、前記状態信号に応じた状態遷移信号を生成して出力する。出力された前記状態遷移信号は図３における選局用制御信号生成回路３０３へ入力されて、前記状態遷移信号に応じた選局用制御信号を生成して出力する。出力された前記選局用制御信号は図３における選局回路３０４へ入力されて前記選局用制御信号に応じて前記ネットワークＩＤに属するサービスＩＤを割り当てられた放送の選局を行う。
【００１９】
以上のように本実施の形態３によれば、リモートコントロールの手段を用いて、前記ネットワークＩＤに関連づけられた前記選局用スイッチ３０１の操作によって前記ネットワークＩＤに属するサービスＩＤを割り当てられた１つもしくは２つ以上の放送のすべてを選局することが可能となる。
【００２０】
（実施の形態４）
図４は本発明の一実施例における地上デジタル放送対応選局装置のブロック図を示す。図４において、４０１は選局操作に応じて２値以上の状態信号を生成する選局用スイッチであり、
４０６は前記選局用スイッチの状態信号を入力として前記選局用スイッチの状態遷移情報に応じたリモートコントロール信号を発信するリモートコントロール信号発信回路であり、
４０７は前記リモートコントロール信号を受信して前記選局用スイッチの状態信号を出力するリモートコントロール信号受信回路であり、４０２は前記リモートコントロール信号受信回路から出力される状態信号を入力として前記選局用スイッチの状態遷移情報を記憶するとともに状態遷移信号を出力する選局情報記憶回路であり、４０３は前記選局情報記憶回路の出力を入力として選局用制御信号を生成する選局用制御信号生成回路であり、４０４は前記選局用制御信号生成回路の出力を入力として選局を行う選局回路である。
【００２１】
以上のように構成された地上デジタル放送対応選局装置について以下その動作説明を行う。まず、ネットワークＩＤに関連づけられた図４における選局用スイッチ４０１において視聴者の選局操作に応じた２値以上の状態信号を生成する。前記選局用スイッチ４０１において生成された前記状態信号は図４におけるリモートコントロール信号発信回路４０６へ入力されて、前記状態信号に応じたリモートコントロール信号を発信する。前記リモートコントロール信号発信回路４０６において発信された前記リモートコントロール信号は図４におけるリモートコントロール信号受信回路４０７へ入力されて、前記選局用スイッチ４０１の状態信号が出力される。前記リモートコントロール信号受信回路４０７において生成された前記状態信号は図４における選局情報記憶回路４０２へ入力されて、前記状態信号に応じた状態遷移信号を生成して出力する。また、前記選局操作より以前に設定される前記ネットワークＩＤに属するサービスＩＤのうち選局可能とする情報もしくは選局不可能とする情報が前記選局制限情報記憶回路４０５へ入力されて選局制限信号を生成する。前記リモートコントロール選局情報記憶回路４０２より出力された前記状態遷移信号と前記選局制限情報記憶回路４０５より出力された前記選局制限信号は図４における選局用制御信号生成回路４０３へ入力されて、前記状態遷移信号と前記選局制限信号に応じた選局用制御信号を生成して出力する。出力された前記選局用制御信号は図４における選局回路４０４へ入力されて前記選局用制御信号に応じて前記ネットワークＩＤに属するサービスＩＤを割り当てられた放送の選局を行う。
【００２２】
以上のように本実施の形態４によれば、リモートコントロールの手段を用いて、ネットワークＩＤに関連づけられた前記選局用スイッチ４０１の操作と前記選局操作より以前に設定される前記選局可能とする情報もしくは選局不可能とする情報によって前記ネットワークＩＤに属するサービスＩＤを割り当てられた１つもしくは２つ以上の放送の少なくとも１つを選局することが可能となる。
【産業上の利用可能性】
【００２３】
本発明にかかる地上デジタル放送対応選局装置は、ネットワークＩＤに関連づけられた選局スイッチを備えることで、前記ネットワークＩＤに属するサービスＩＤに応じた選局スイッチを備えることなく前記サービスＩＤを割り当てられた放送を選局することが可能であるため、選局機器の小型軽量化が容易であり、加えて視聴者が前記ネットワークＩＤに属する任意のサービスＩＤを割り当てられた放送の有無を意識することなく前記サービスＩＤを割り当てられた放送を直感的に選局できることから、地上デジタル放送の選局に適した利便性の高い選局装置を実現することができるという効果をゆうするものであり、特に地上デジタル放送においてネットワークＩＤを等しくするサービスＩＤを割り当てられた放送の選局装置等において有用である。
【図面の簡単な説明】
【００２４】
【図１】本発明の第一の実施の形態における地上デジタル放送対応選局装置のブロック図
【図２】本発明の第二の実施の形態における地上デジタル放送対応選局装置のブロック図
【図３】本発明の第三の実施の形態における地上デジタル放送対応選局装置のブロック図
【図４】本発明の第四の実施の形態における地上デジタル放送対応選局装置のブロック図
【図５】従来の技術における地上デジタル放送のシステム構成図
【図６】本発明の実施の形態における選局スイッチ群の構成図
【図７】本発明の第一の実施の形態における地上デジタル放送対応選局装置のブロック図
【符号の説明】
【００２５】
１０１    選局用スイッチ
１０２    選局情報記憶回路
１０３    選局用制御信号生成回路
１０４    選局回路
２０１    選局用スイッチ
２０２    選局情報記憶回路
２０３    選局用制御信号生成回路
２０４    選局回路
２０５    選局制限情報記憶回路
３０１    選局用スイッチ
３０２    選局情報記憶回路
３０３    選局用制御信号生成回路
３０４    選局回路
３０６    リモートコントロール信号発信回路
３０７    リモートコントロール信号受信回路
４０１    選局用スイッチ
４０２    選局情報記憶回路
４０３    選局用制御信号生成回路
４０４    選局回路
４０５    選局制限情報記憶回路
４０６    リモートコントロール信号発信回路
４０７    リモートコントロール信号受信回路
５０１    放送局１
５０２    放送局２
５０３    受像機
５０４    選局装置
５０５    表示装置
６０１    選局スイッチ群
６０２    選局スイッチＡ
６０３    選局スイッチＢ
７０１    選局スイッチ群
７０２    選局情報記憶回路
７０３    選局用制御信号生成回路
【図１】
2005223677.tif 000003
【図２】
2005223677.tif 000004
【図３】
2005223677.tif 000005
【図４】
2005223677.tif 000006
【図５】
2005223677.tif 000007
【図６】
2005223677.tif 000008
【図７】
2005223677.tif 000009